(57)【要約】【課題】  保持枠の支持強度を向上させるとともに、ゴミ袋の取出し時にゴミ袋の中にゴミがたくさん入っていても容易に取出すことができるようにする。【解決手段】  ベース部材１と、ベース部材１から立設される複数の脚部材１０と、脚部材１０の上端部に設けられゴミ袋Ｆの開口Ｆａを保持するための保持枠２０とを備え、保持枠２０を後枠部材２１，前枠部材２２，一対の側枠部材３０の４つの枠部材で形成し、ベース部材１の前脚部材１１に前枠部材２２を設け、後脚部材１２に後枠部材２１を設け、側枠部材３０の一端を後枠部材２１側に回動自在に支持するとともに、側枠部材３０の他端を前枠部材２２に係脱可能に支持し、前脚部材１１をベース部材１に対して傾動可能に設けた。【選択図】  図１
2006076694.tif 000002
【特許請求の範囲】
【請求項１】
ベース部材と、ベース部材から立設される複数の脚部材と、脚部材の上端部に設けられゴミ袋の開口を保持するための保持枠とを備えたゴミ袋の支持スタンドにおいて、
上記保持枠を後枠部材，前枠部材，一対の側枠部材の４つの枠部材で形成し、少なくとも上記ベース部材の前後に前脚部材及び後脚部材を設け、上記前脚部材に上記前枠部材を設け、上記後脚部材に上記後枠部材を設け、上記側枠部材の一端を上記後枠部材側に回動自在に支持するとともに、該側枠部材の他端を上記前枠部材に係脱可能に支持し、上記前脚部材を上記ベース部材に対して傾動可能に設けたことを特徴とするゴミ袋の支持スタンド。
【請求項２】
少なくとも、上記ベース部材，前脚部材及び後脚部材を木製の棒材を用いて形成したことを特徴とする請求項１記載のゴミ袋の支持スタンド。
【請求項３】
上記側枠部材を金属製ロッドで形成し、該側枠部材の一端に輪状のリング部を形成し、上記後脚部材に該リング部が引通される輪状の取付部を設け、上記側枠部材の他端及び上記前枠部材のいずれか一方にフック状の係合部を形成し、上記側枠部材の他端及び上記前枠部材のいずれか他方に上記係合部が係合する輪状の被係合部を設けたことを特徴とする請求項１または２記載のゴミ袋の支持スタンド。
【請求項４】
上記ベース部材を４本の木製棒材を用い、前側及び後側の棒材を一対の側部の棒材の間に介装し、上記前脚部材を上記ベース部材の前側の棒材に立設し、該前側の棒材を一対の側部の棒材に対して回動可能に設けたことを特徴とする請求項１，２または３記載のゴミ袋の支持スタンド。
【発明の詳細な説明】
【技術分野】
【０００１】
本発明は、ポリエチレンなどの樹脂製あるいは紙製のゴミ袋を、この中にゴミを入れやすいように支持するためのゴミ袋の支持スタンドに関する。
【背景技術】
【０００２】
従来、この種のゴミ袋の支持スタンドとしては、特開２００３−２４６４０８号公報（特許文献１）記載の技術が知られている。
図１０に示すように、この従来のゴミ袋の支持スタンド１００は、ベース部材１０１の裏面にキャスター１０２を付け、そのベース部材１０１の表面に後脚部材１０３を立設している。ベース部材１０１の手前左右には、前脚部材１０４をネジ手段１０４ｂにより２本立設している。前脚部材１０４の上端部１０４ａにはゴムキャップ１０５が被せられている。
後脚部材１０３には、前開放のコ字状の側枠部材１０６が回動可能に取付けられている。側枠部材１０６の両端１０６ａはＬ字状に折曲形成され、前脚部材１０４に設けた差込受け用パイプ１０８に差し込まれる。
【０００３】
このゴミ袋の支持スタンド１００にゴミ袋（図示せず）を取付けるときは、差込受け用パイプ１０８に側枠部材１０６のＬ字型の両端１０６ａを差し込んだ状態で、ゴミ袋を支持スタンド１００の内部に入れ、ゴミ袋の開口をそれぞれ後脚部材１０３，側枠部材１０６及び前脚部材１０４の外側へ折り、更に、後脚部材１０３の最上部１０３ａ及び前脚部材１０４のゴムキャップ１０５に引っ掛けてゴミ袋を係止して使用する。
【０００４】
【特許文献１】特開２００３−２４６４０８号公報
【発明の開示】
【発明が解決しようとする課題】
【０００５】
ところで、上記従来のゴミ袋の支持スタンド１００おいては、ゴミ袋を取出すとき、ゴミ袋にゴミがたくさん入って膨らんでいると、前脚部材１０４に引っ掛かって取出しにくいという問題があった。
また、前脚部材１０４は、左右の前脚部材１０４同士を横につなぐような補強部材がない状態で前面が開いているので、ゴミがたくさん入り大きく膨らんだゴミ袋を支持する場合、ゴミ袋の支持が弱くなったり、前脚部材１０４が曲がったり折れたりしてしまう虞があるという問題があった。
本発明は上記の問題点に鑑みて為されたもので、保持枠の支持強度を向上させるとともに、ゴミ袋の取出し時にゴミ袋の中にゴミがたくさん入っていても容易に取出すことができるゴミ袋の支持スタンドを提供することを目的とする。
【課題を解決するための手段】
【０００６】
このような目的を達成するための本発明の技術的手段は、ベース部材と、ベース部材から立設される複数の脚部材と、脚部材の上端部に設けられゴミ袋の開口を保持するための保持枠とを備えたゴミ袋の支持スタンドにおいて、上記保持枠を後枠部材，前枠部材，一対の側枠部材の４つの枠部材で形成し、少なくとも上記ベース部材の前後に前脚部材及び後脚部材を設け、上記前脚部材に上記前枠部材を設け、上記後脚部材に上記後枠部材を設け、上記側枠部材の一端を上記後枠部材側に回動自在に支持するとともに、該側枠部材の他端を上記前枠部材に係脱可能に支持し、上記前脚部材を上記ベース部材に対して傾動可能に設けた構成とした。
【０００７】
これにより、ゴミ袋の支持スタンドを使用するときは、前枠部材を起立させ、側枠部材を前枠部材に係合させて支持し、保持枠を構成する。この状態で、ゴミ袋を広げ、保持枠の内部にゴミ袋を入れ、ゴミ袋の開口を保持枠に保持する。
この状態で、ゴミ袋に、ゴミを入れるようにする。この場合、ゴミ袋の開口は大きく開いた状態で保持されるので、そのままゴミを入れることができる。この場合、保持枠は、前枠部材を備えているので、従来に比較して、前側の支持強度が高くなり、ゴミ袋の支持を確実に行なうことができる。
【０００８】
ゴミの入ったゴミ袋を取出すときは、ゴミ袋の開口を保持枠から外し、次に、両方の側枠部材を前枠部材から外して回動させ退避させる。それから、前枠部材を外側に傾動させて倒す。この状態で、ゴミ袋を取出す。この場合、側枠部材を係脱の簡単な操作で外すことができるので操作性が極めて良くなる。また、前枠部材を外側に倒すことによりゴミ袋を取出すスペースが増え、前枠部材及び前脚部材が邪魔になることが無く、枠部材からはみ出すほどに膨らんだゴミ袋でも楽に取出すことができる。
【０００９】
また、必要に応じ、少なくとも、上記ベース部材，前脚部材及び後脚部材を木製の棒材を用いて形成した構成とした。組立てが容易であり、棒材には間伐材や廃材の利用が可能であるので安価に製造でき、また、環境に負担をかけない。
【００１０】
そして、必要に応じ、上記側枠部材を金属製ロッドで形成し、該側枠部材の一端に輪状のリング部を形成し、上記後脚部材に該リング部が引通される輪状の取付部を設け、上記側枠部材の他端及び上記前枠部材のいずれか一方にフック状の係合部を形成し、上記側枠部材の他端及び上記前枠部材のいずれか他方に上記係合部が係合する輪状の被係合部を設けた構成とした。側枠部材の回動を簡易な構造で容易に行なうことができる。また、係合部及び被係合部の構造も簡単であり、側枠部材の係脱をより一層簡単な操作で行ない、側枠部材の開閉を簡単に行なうことができ、操作性が極めて良くなる。
【００１１】
更に、必要に応じ、上記ベース部材を４本の木製棒材を用い、前側及び後側の棒材を一対の側部の棒材の間に介装し、上記前脚部材を上記ベース部材の前側の棒材に立設し、該前側の棒材を一対の側部の棒材に対して回動可能に設けた構成としている。ベース部材の前側の棒材を回動させるので、簡単な構造で前枠部材を外側に倒すことができ、操作性が向上させられる。
【発明の効果】
【００１２】
本発明のゴミ袋の支持スタンドによれば、保持枠を後枠部材，前枠部材，一対の側枠部材の４つの枠部材で形成したので、特に、前枠部材を備えていることから、従来に比較して、前側の支持強度が高くなり、ゴミ袋の支持を確実に行なうことができる。
また、側枠部材を外して回動させ、脚部材をベース部材に対して傾動可能に設けたので、ゴミの入ったゴミ袋を取出すときに、前枠部材を倒すことによりゴミ袋を取出すスペースが増え、前枠部材及び前脚部材が邪魔になることが無く、枠部材からはみ出すほどに膨らんだゴミ袋でも楽に取出すことができ、作業効率を大幅に向上させることができる。
【００１３】
また、ベース部材，前脚部材及び後脚部材を木製の棒材を用いて形成した場合には、組立てが容易であり、棒材には間伐材や廃材の利用が可能であるので安価に製造でき、また、環境に負担をかけない等の効果を奏する。
【発明を実施するための最良の形態】
【００１４】
以下、添付図面に基づいて、本発明の実施の形態に係るゴミ袋の支持スタンドについて詳細に説明する。
図１乃至図９に示すように、本発明の実施の形態に係るゴミ袋の支持スタンドＳは、ベース部材１と、ベース部材１から立設される複数の脚部材１０と、脚部材１０の上端部に設けられゴミ袋Ｆの開口Ｆａを保持するための保持枠２０とを備えている。
【００１５】
ベース部材１は、図５に示すように、４本の断面矩形の木製棒材２を用い、前側の棒材２ａ及び後側の棒材２ｂを一対の側部の棒材２ｃの間に介装して、釘３を用いて結合して枠状に形成されている。この棒材２としては、間伐材や廃材を使用することができる。
【００１６】
脚部材１０は、図６及び図７に示すように、断面矩形の木製棒材２で形成され、ベース部材１の前後に４本設けられている。脚部材１０としては、ベース部材１の前側の棒材２ａに立設される並設された一対の前脚部材１１と、ベース部材１の後側の棒材２ｂに立設される並設された一対の後脚部材１２とが備えられている。前脚部材１１及び後脚部材１２は、釘を用いてベース部材１に結合されている。この棒材２としては、間伐材や廃材を使用することができる。
【００１７】
保持枠２０は、図７に示すように、後枠部材２１，前枠部材２２，一対の側枠部材３０の４つの枠部材で形成されている。後枠部材２１及び前枠部材２２は、断面矩形の木製棒材２で形成される。この棒材２としては、間伐材や廃材を使用することができる。前枠部材２２は、一対の前脚部材１１の上端に、釘を用いて架設されている。後枠部材２１は、一対の後脚部材１２の上端に、釘を用いて架設されている。
【００１８】
側枠部材３０は、図３（ａ）に示すように、金属製ロッドで形成され、図２に示すように、その一端が後枠部材２１側に回動自在に支持されるとともに、他端が前枠部材２２に係脱可能に支持されている。側枠部材３０の金属性ロッドは廃材等を利用すれば安価に製造できる。
詳しくは、図３（ａ）に示すように、側枠部材３０の一端には輪状のリング部３１が一体形成され、図１，図２，図３（ｂ）に示すように、後脚部材１２にはリング部３１が引通される輪状の取付部３２が設けられ、リング部３１と取付部３２とにより、側枠部材３０は回動自在に支持される。また、図３（ａ）に示すように、側枠部材３０の他端及び前枠部材２２のいずれか一方（実施の形態では側枠部材３０の他端）にフック状の係合部３３が形成され、図１，図２，図３（ｂ）に示すように、側枠部材３０の他端及び前枠部材２２のいずれか他方（実施の形態では前枠部材２２）に係合部３３が係合する輪状の被係合部３４が設けられている。
【００１９】
更に、ベース部材１の前側の棒材２ａを一対の側部の棒材２ｃに対して回動可能に設けることにより、前脚部材１１は、ベース部材１に対して回動可能に設けられている。詳しくは、図４に示すように、ベース部材１の側部の棒材２ｃ及び前側の棒材２ａに釘３を打込んで両者を結合し、ベース部材１の前側の棒材２ａに打込まれた釘３の先端側３ａを軸４０とし、ベース部材１の前側の棒材２ａに打込まれた釘３の先端側３ａによって形成された凹部４１を軸受４２として、前側の棒材２ａを一対の側部の棒材２ｃに対して回動可能にしている。
【００２０】
従って、この実施の形態に係るゴミ袋の支持スタンドＳを組立てるときは、図５乃至図７に示すように、ベース部材１，前脚部材１１及び後脚部材１２を木製の棒材２を用いて、釘で連結する。そのため、組立てが容易であり、棒材２には間伐材や廃材が利用可能であるので安価に製造でき、製造効率が極めてよくなる。また、後脚部材１２には取付部３２を取付け、前枠部材２２に被係合部３４を取付け、側枠部材３０を設ける。
【００２１】
そして、この実施の形態に係るゴミ袋の支持スタンドＳを使用するときは、以下のようになる。まず、図１及び図８に示すように、ゴミ袋の支持スタンドＳの前枠部材２２を起立させ、側枠部材３０の係合部３３を前枠部材２２の被係合部３４に係合させ、保持枠２０を構成する。この状態で、ゴミ袋Ｆを広げ、保持枠２０の内部にゴミ袋Ｆを入れる。それから、ゴミ袋Ｆの開口Ｆａを保持枠２０を覆うようにして外側に捲くり返して保持枠２０に引っ掛け、その後、例えばゴミ袋Ｆが落ちないように洗濯バサミ５０等でゴミ袋Ｆの開口Ｆａを留める。
【００２２】
この状態で、ゴミ袋Ｆに、ゴミ６０を入れるようにする。この場合、ゴミ袋Ｆの開口Ｆａは大きく開いた状態で保持されるので、そのままゴミ６０を入れることができる。また、ゴミ袋Ｆの開口Ｆａは洗濯バサミ５０で留めているので、風などでゴミ袋Ｆの開口Ｆａが閉じてしまったりすることが防止され、ゴミ６０を捨てる際に逐一開口Ｆａを開く作業をする必要がなくなる。そして、図９（ａ）に示すように、この支持スタンドＳは、枠状なので、ゴミ６０の量が多くなっても、ゴミ袋Ｆが大きく膨らんで枠からはみ出すようになり、そのため、比較的大量のゴミ６０でも収容することができる。また、保持枠２０は、前枠部材２２を備えているので、従来に比較して、前側の支持強度が高くなり、ゴミ袋Ｆの支持を確実に行なうことができる。
【００２３】
ゴミ６０の入ったゴミ袋Ｆを取出すときは、図２及び図９（ｂ）に示すように、ゴミ袋Ｆの開口Ｆａを留めていた洗濯バサミ５０を全て外した後、保持枠２０に引っ掛けたゴミ袋Ｆの開口Ｆａを外し、開口Ｆａを閉じる。この状態で、両方の側枠部材３０の係合部３３を被係合部３４から外し、前枠部材２２を外側に倒してゴミ袋Ｆを取出す。この場合、係合部３３を被係合部３４から外すだけの簡単な操作で側枠部材３０を外すことができるので操作性が極めて良くなる。また、前枠部材２２を外側に倒すことによりゴミ袋Ｆを取出すスペースが増え、前枠部材２２及び前脚部材１１が邪魔になることが無く、枠部材からはみ出すほどに膨らんだゴミ袋Ｆでも楽に取出すことができる。
【００２４】
尚、上記実施の形態において、前脚部材１１の回動手段は上述した構成に限定されるものではなく、例えば、蝶番を用いて回動可能にしてよい。また、部材の取付けは、釘に限定されるものではなくネジ等を適宜使用してもよいことは勿論である。
【図面の簡単な説明】
【００２５】
【図１】本発明の実施の形態に係るゴミ袋の支持スタンドを組立て状態で示す図であり、（ａ）は斜視図、（ｂ）は側面図である。
【図２】本発明の実施の形態に係るゴミ袋の支持スタンドを前枠部材を開くときの状態で示す図であり、（ａ）は斜視図、（ｂ）は側面図である。
【図３】本発明の実施の形態に係るゴミ袋の支持スタンドの要部を示し、（ａ）は側枠部材の側面図、（ｂ）は取付部及び被係合部を示す図である。
【図４】本発明の実施の形態に係るゴミ袋の支持スタンドのベース部材の要部を示す断面図である。
【図５】本発明の実施の形態に係るゴミ袋の支持スタンドにおいて、ベース部材の組立て工程を示す図である。
【図６】本発明の実施の形態に係るゴミ袋の支持スタンドにおいて、前枠部材及び後枠部材の組立て工程を示す図である。
【図７】本発明の実施の形態に係るゴミ袋の支持スタンドにおいて、前脚部材及び後脚部材の組立て工程，側枠部材の組立て工程を示す図である。
【図８】本発明の実施の形態に係るゴミ袋の支持スタンドにゴミ袋を取付ける方法の一例を示す斜視図である。
【図９】本発明の実施の形態に係るゴミ袋の支持スタンドからゴミ袋を取出す状態を示す斜視図である。
【図１０】従来のゴミ袋の支持スタンドの一例を示す斜視図である。
【符号の説明】
【００２６】
Ｓ  ゴミ袋の支持スタンド
Ｆ  ゴミ袋
Ｆａ  開口
１  ベース部材
２ａ  前側の棒材
２ｂ  後側の棒材
２ｃ  側部の棒材
３  釘
３ａ  先端側
１０  脚部材
１１  前脚部材
１２  後脚部材
２０  保持枠
２１  後枠部材
２２  前枠部材
３０  側枠部材
３１  リング部
３２  取付部
３３  係合部
３４  被係合部
４０  軸
４１  凹部
４２  軸受
５０  洗濯バサミ
６０  ゴミ
【図１】
2006076694.tif 000003
【図２】
2006076694.tif 000004
【図３】
2006076694.tif 000005
【図４】
2006076694.tif 000006
【図５】
2006076694.tif 000007
【図６】
2006076694.tif 000008
【図７】
2006076694.tif 000009
【図８】
2006076694.tif 000010
【図９】
2006076694.tif 000011
【図１０】
2006076694.tif 000012